(57)【要約】【課題】遠隔操作によりスリングを重量物から外す必要がないとき、スリングの外れ止め具を有する一般的なフックと同様の使い方を可能とする。【解決手段】ベース１６の上端にクレーンのフックが係合するクレーン係合部２７を設け、クレーン係合部より下方のベースに第１シャフト１１を介してレバーホルダ１７の中央を枢着する。第１シャフトより下方のベースに第２シャフト１２を介してリンクレバー１８の基端を枢着し、リンクレバーの先端をレバーホルダの先端に解放可能に係止する。重量物に係合するためのスリング１３の一端をクレーンのフックに掛け、他端をリンクレバーに離脱可能に掛ける。解放手段１９が遠隔操作でレバーホルダの基端を下降させてリンクレバーの先端をレバーホルダの先端から自動的に解放する。リンクレバーの先端をレバーホルダの先端に係止した状態でレバーストッパ２１がレバーホルダを一時的に固定する。【選択図】  図１
2004210518.tif 000002
【特許請求の範囲】
【請求項１】
上端にクレーン（２６）のフック（２６ａ）又はフックブロックが係合するクレーン係合部（２７）を有するベース（１６，１１６）と、
前記クレーン係合部（２７）より下方のベース（１６，１１６）に第１シャフト（１１）を介してほぼ中央が枢着されたレバーホルダ（１７，１１７）と、
基端が前記第１シャフト（１１）より下方のベース（１６，１１６）に第２シャフト（１２）を介して枢着され先端が前記レバーホルダ（１７，１１７）の先端に解放可能に係止するリンクレバー（１８，１１８）と、
遠隔操作で前記レバーホルダ（１７，１１７）の基端を下降させることにより前記レバーホルダの先端を上昇させて前記リンクレバー（１８，１１８）の先端を前記レバーホルダの先端から自動的に解放する解放手段（１９，１１９）と
を備え、
一端が前記クレーン（２６）のフック（２６ａ）又は前記ベース（１１６）に掛けられかつ重量物（１４，１１４）に係合するためのスリング（１３）の他端が前記リンクレバー（１８，１１８）に離脱可能に掛けられるように構成された重量物吊上げスリングの取外し装置であって、
前記リンクレバー（１８，１１８）の先端が前記レバーホルダ（１７，１１７）の先端に係止した状態で前記レバーホルダを一時的に固定するためのレバーストッパ（２１）を更に備えたことを特徴とする重量物吊上げスリングの取外し装置。
【請求項２】
レバーストッパ（２１）が鉛直面内で回動するように前記レバーストッパの基端が前記ベース（１６，１１６）に枢着され、前記レバーストッパの先端が前記レバーストッパの自重により下方に回転して前記レバーホルダ（１７，１１７）に係止するように構成された請求項１記載の重量物吊上げスリングの取外し装置。
【請求項３】
レバーストッパをレバーホルダ（１７，１１７）から離脱させた状態で一時的に固定する離脱固定具（４３）を更に備えた請求項２記載の重量物吊上げスリングの取外し装置。
【請求項４】
レバーストッパ（２１）が強磁性体により形成され、離脱固定具（４３）が前記レバーストッパを吸着するための磁石により形成された請求項３記載の重量物吊上げスリングの取外し装置。
【発明の詳細な説明】
【０００１】
【発明の属する技術分野】
本発明は、重量物を吊上げるためのワイヤロープ、樹脂繊維ロープ、鎖、チェーン等のスリング（ｓｌｉｎｇ）を重量物から取外すための装置に関する。更に詳しくは、一般的なフックと同様に取扱うことができる取外し装置に関するものである。
【０００２】
【従来の技術】
従来、この種の装置として、上端をフックに掛けた第１玉掛ワイヤロープの下端がほぼＶ字状の鈎体の一端部及び操作レバーの中間部に支持ピンを介して接続され、鈎体の中間部に案内シーブが取付けられ、操作レバーの一端部側にばねにより付勢された調整ボルトが設けられ、更にこの調整ボルトの先端部にピンを介して可動案内ローラが枢着された玉掛ワイヤロープによる吊り荷の放荷装置が知られている（例えば、特許文献１参照）。この放荷装置では、可動案内ローラが鈎体の引っ掛け部の先端部に当接し、案内シーブに掛けられた補巻ワイヤロープの先端部が操作レバーの他端部に連結される。また一端がフックに掛けられた吊り荷用の第２玉掛ワイヤロープの他端が鈎体の引っ掛け部に引っ掛けられるように構成される。
【０００３】
このように構成された放荷装置により吊上げた吊り荷を所定の場所の上方から落下させるには、先ず補巻ワイヤロープを巻上げて、操作レバーを支持ピンを中心に回転させる。これにより補巻ワイヤロープの張力でばねが撓み、可動案内ローラが鈎体の引っ掛け部の先端から外れる。補巻ワイヤロープを更に巻上げると、鈎体が支持ピンを中心に回転し、鈎体の引っ掛け部に掛けられた第２玉掛ワイヤロープが引っ掛け部から外れて、吊り荷が落下する。このように補巻ワイヤロープを巻上げるだけで、放荷装置により吊った吊り荷を確実に放荷することができる。なお、第２玉掛ワイヤロープの他端はフックに掛かっているので、放荷後、主巻ワイヤロープを巻上げれば、第２玉掛ワイヤロープをフックとともに巻上げることができる。
【０００４】
【特許文献１】
特開昭５７−８５７８３号公報
【０００５】
【発明が解決しようとする課題】
しかし、上記特許文献１に示された玉掛ワイヤロープによる吊り荷の放荷装置では、吊り荷の吊上げ時に鈎体の先端に操作レバーの先端が係止するだけであるため、遠隔操作により第２玉掛ワイヤロープを吊り荷から外す必要がない場合、即ちワイヤロープの外れ止め具を有する一般的なフックと同様の使い方でこの装置を使用する場合に、作業者が意図せずに操作レバー先端が鈎体先端から離脱するおそれがあった。
また、上記特許文献１に示された玉掛ワイヤロープによる吊り荷の放荷装置では、遠隔操作により第２玉掛ワイヤロープを吊り荷から外す必要がない場合、即ちワイヤロープの外れ止め具を有する一般的なフックと同様の使い方で使用する場合に、可動案内ローラを付勢するばねの弾性力を調整ナットにより微調整する必要があり、作業が煩わしい問題点もあった。
【０００６】
本発明の目的は、遠隔操作によりスリングを重量物から外す必要がない場合、即ちスリングの外れ止め具を有する一般的なフックと同様の使い方で使用した場合、作業者が意図しない、リンクレバー先端のレバーホルダ先端からの離脱を確実に防止できる、重量物吊上げスリングの取外し装置を提供することにある。
本発明の別の目的は、スリングの外れ止め具を有する一般的なフックと同様の使い方で使用した場合、スリングをリンクレバーに掛ける作業及びスリングをリンクレバーから外す作業を極めて容易に行うことができる、重量物吊上げスリングの取外し装置を提供することにある。
【０００７】
【課題を解決するための手段】
請求項１に係る発明は、図１、図２及び図７に示すように、上端にクレーン２６のフック２６ａ又はフックブロックが係合するクレーン係合部２７を有するベースと、クレーン係合部より下方のベース１６に第１シャフト１１を介してほぼ中央が枢着されたレバーホルダ１７と、基端が第１シャフトより下方のベースに第２シャフト１２を介して枢着され先端がレバーホルダ１７の先端に解放可能に係止するリンクレバー１８と、遠隔操作でレバーホルダ１７の基端を下降させることによりレバーホルダの先端を上昇させてリンクレバー１８の先端をレバーホルダの先端から自動的に解放する解放手段１９とを備え、一端がクレーン２６のフック２６ａ又はベースに掛けられかつ重量物１４に係合するためのスリング１３の他端がリンクレバー１８に離脱可能に掛けられるように構成された重量物吊上げスリングの取外し装置であって、リンクレバー１８の先端がレバーホルダ１７の先端に係止した状態でレバーホルダを一時的に固定するためのレバーストッパ２１を更に備えたことを特徴とする。
【０００８】
この請求項１に記載された重量物吊上げスリングの取外し装置では、リンクレバー１８の先端をレバーホルダ１７の先端に係止するとともにレバーストッパ２１がレバーホルダを一時的に固定しない状態で重量物１４を吊上げると、リンクレバーに重量物の荷重が加わって、リンクレバー１８の先端のレバーホルダ１７の先端への係止摩擦力が増大するため、リンクレバーの先端がレバーホルダの先端に係止した状態を維持できる。また上記重量物１４を所定の場所に下ろすと、リンクレバー１８に重量物の荷重が加わらなくなり、この状態で遠隔操作で解放手段１９を操作してレバーホルダ１７の先端を上昇させると、リンクレバーの先端をレバーホルダの先端から自動的に解放できる。
一方、リンクレバー１８の先端をレバーホルダ１７の先端に係止するとともにレバーストッパ２１がレバーホルダを一時的に固定した状態で重量物１４を吊上げると、リンクレバーに重量物の荷重が加わって、リンクレバーの先端のレバーホルダの先端への係止摩擦力が増大するとともに、レバーストッパがレバーホルダを一時的に固定しているため、作業者が意図しない、リンクレバー１８先端のレバーホルダ１７先端からの離脱を確実に防止できる。また上記重量物１４を所定の場所に下ろすと、リンクレバー１８に重量物１４の荷重が加わらなくなり、この状態でレバーストッパ２１のレバーホルダ１７への一時的な固定を解除し、更にレバーホルダの先端を手で引上げると、リンクレバーの先端をレバーホルダの先端から解放できる。
【０００９】
請求項２に係る発明は、請求項１に係る発明であって、更に図１、図２及び図７に示すように、レバーストッパ２１が鉛直面内で回動するようにレバーストッパの基端がベース１６に枢着され、レバーストッパの先端がレバーストッパの自重により下方に回転してレバーホルダ１７に係止するように構成されたことを特徴とする。
この請求項２に記載された重量物吊上げスリングの取外し装置では、リンクレバー１８先端をレバーホルダ１７先端に係止するとともにレバーストッパ２１をレバーホルダに係止した状態で重量物１４を吊上げると、作業者が意図せずにレバーストッパ先端がレバーホルダ先端から離脱することがないので、作業者が意図しない、リンクレバー１８先端のレバーホルダ１７先端からの離脱を更に確実に防止できる。
【００１０】
請求項３に係る発明は、請求項２に係る発明であって、更に図１及び図２に示すように、レバーストッパをレバーホルダ１７から離脱させた状態で一時的に固定する離脱固定具４３を更に備えたことを特徴とする。
この請求項３に記載された重量物吊上げスリングの取外し装置では、リンクレバー１８にスリング１３の他端を掛けるとき又はリンクレバー１８からスリング１３の他端を外すときに、レバーストッパ２１を手で保持し続ける必要がないので、リンクレバー１８へのスリング１３の係脱の作業性を向上できる。
またレバーストッパ２１を強磁性体により形成し、離脱固定具４３を磁石により形成することが好ましい。
【００１１】
【発明の実施の形態】
次に本発明の第１の実施の形態を図面に基づいて説明する。
図１〜図３及び図７に示すように、重量物１４を吊上げるためのスリング１３の取外し装置１０は、ベース１６と、このベースに単一の第１シャフト１１を介してほぼ中央が枢着された単一のレバーホルダ１７と、ベース１６に単一の第２シャフト１２を介して基端が枢着されたリンクレバー１８と、遠隔操作でリンクレバーの先端をレバーホルダ１７の先端から自動的に解放する解放手段１９と、リンクレバー１８の先端がレバーホルダ１７の先端に係止した状態でレバーホルダを一時的に固定するためのレバーストッパ２１とを備える。重量物１４はこの実施の形態では上面に逆Ｕ字状のスリング係合部１４ａを有するコンクリートブロックである（図７）。なお、本明細書においてスリング１３とは、ワイヤロープの他に、ナイロンロープ等の樹脂繊維ロープ、鎖、チェーン等を含む概念である。また重量物１４はコンクリートブロックではなく、コンクリート柱や石材を詰めた蛇籠等の重量物でもよい。
【００１２】
ベース１６は、鋼板をそれぞれ略逆三角形に切断して形成された一対のプレート２２と、これらのプレートを所定の間隔をあけて接合するために一対のプレート２２の上部、中央部及び下部に水平にそれぞれ延びて設けられたアッパプレート２３、固定プレート２４及びロアプレート２５とを有する。ベース１６の上端中央には、クレーン２６のフック２６ａがアッパスリング２８を介して係合するクレーン係合部２７が設けられる。クレーン係合部２７は円柱状の鋼材により形成される。また上記固定プレート２４の中央には貫通孔２４ａが形成される。なお、ベースの上端中央のクレーン係合部にはクレーンのフックではなくクレーンのフックブロックを直接係合してもよい。
【００１３】
第１シャフト１１はアッパプレート２３と固定プレート２４との間のベース１６に固着される。またレバーホルダ１７は、先端側が基端側より重くなるように、即ち無荷重状態で先端が下降するように、そのほぼ中央が第１シャフト１１に揺動可能に嵌入される。具体的には、レバーホルダ１７は、その長手方向の中央から基端寄り（図１〜図３において左寄り）の部分が第１シャフト１１に揺動可能に嵌入される。更にレバーホルダ１７の先端にはレバーホルダの長手方向に延びる挿入用長孔１７ａが形成されるとともに、レバーホルダ１７の先端面には作業者が把持するためのハンドル１７ｂが突設される（図１〜図３及び図６）。なお、図１〜図３の符号１７ｃはレバーホルダ１７が回転したときの最大傾斜角度を規定する限界ピンである。この限界ピン１７ｃは、レバーホルダ１７が回転して限界ピン１７ｃに当接したときに、リンクレバー１８先端のレバーホルダ１７先端からの離脱を許容し、かつレバーホルダの他の部材への接触を阻止する位置に設けられる。
【００１４】
第２シャフト１２はベース１６の下部に固着される。リンクレバー１８は略Ｊ字状に形成され、第２シャフト１２に回動可能に嵌入された基端１８ａと、この基端に連設され所定の曲率半径で湾曲する曲り部１８ｂと、レバーホルダ１７の先端に係止するための先端１８ｃと、曲り部１８ｂと先端１８ｃとを連結する竿部１８ｄとを有する。リンクレバー１８の先端を上方に回転してレバーホルダ１７の先端の挿入用長孔１７ａに挿入することにより、リンクレバーの先端はレバーホルダの先端に係止するように構成される（図１、図３及び図６）。またリンクレバー１８にはスリング１３の他端に形成されたリング１３ａが嵌入可能に構成される。
【００１５】
解放手段１９は、ベース１６に昇降可能に設けられたスライダ３１と、スライダを上昇した状態で一時的に固定するロック手段３２と、スライダの一時的な固定を解除するロック解除手段３３とを備える。スライダ３１は、固定プレート２４の貫通孔２４ａに遊挿された昇降棒３１ａと、昇降棒の上部にこの昇降棒と一体的に設けられ水平方向に延びる係合プレート３１ｂとを有する（図１〜図３）。係合プレート３１ｂは、スライダ３１ａが下降したときにレバーホルダ１７の基端に係合してレバーホルダの基端を押下げるように構成される（図２）。ロック手段３２は、係合プレート３１ｂを吸着してスライダ３１を上昇させた状態で磁力により保持するスライダ用電磁石３２ａを備える（図１〜図３）。このスライダ用電磁石３２ａは、通電すると磁力を発生しかつ通電を停止すると磁力を消去するように構成される。
【００１６】
ロック解除手段３３は、スライダを押下げる方向に付勢するスライダ用弾性体３４と、スライダ用電磁石３２ａの磁力を発生又は消去する切換手段３６と、この切換手段を遠隔操作することによりスライダ用電磁石３２ａを制御する遠隔操作手段３７とを備える（図１〜図３及び図８）。スライダ用弾性体４５はこの実施の形態では圧縮コイルばねであり、昇降棒３１ａの下部に遊挿されるとともに、固定プレート２４と昇降棒３１ａの下端に嵌着されたばね受け具３８との間に介装される（図１〜図３）。
【００１７】
切換手段３６はコイル部３６ａとスイッチ部３６ｂとを有する電磁リレーである（図８）。切換手段３６のコイル部３６ａに通電すると、スイッチ部３６ｂがオンしてスライダ用電磁石３２ａに電流が流れ、スライダ用電磁石が磁力を発生するように構成される。一方、切換手段３６のコイル部３６ａへの通電を停止すると、スイッチ部３６ｂがオフしてスライダ用電磁石３２ａに電流が流れなくなり、スライダ用電磁石の磁力を消去するように構成される。なお、切換手段３６はアッパプレート２３に載置されたボックス３９（図１〜図３）に収容される。
【００１８】
遠隔操作手段３７は、ベース１６とは別に置かれる送信装置４１と、ボックス３９に収容された受信装置４２とを備える（図８）。送信装置４１は、操作盤４１ａと、この操作盤に接続された無線送信部４１ｂと、この無線送信部の出力部に接続された送信アンテナ４１ｃとを有する。受信装置４２は、受信アンテナ４２ａと、入力部に受信アンテナを接続した無線受信部４２ｂと、バッテリ４２ｃとを有する。操作盤４１ａには作業者が操作するためのスイッチ（図示せず）が設けられ、無線受信部４２ｂの出力部には切換手段３６のコイル部３６ａが接続される。またバッテリ４２ｃは無線受信部４２ｂに直接接続されるとともに、スライダ用電磁石３２ａに切換手段３６のスイッチ部３６ｂを介して接続される。
【００１９】
一方、レバーストッパ２１は、略Ｌ字状に形成された一対のストッパ本体２１ａ，２１ａと、一対のストッパ本体を所定の間隔をあけた状態で連結する第１〜第３ストッパ軸２１ｂ，２１ｃ，２１ｄとを有する（図１〜図６）。第１ストッパ軸２１ｂは一対のストッパ本体２１ａ，２１ａの基端を連結し、第２ストッパ軸２１ｃは一対のストッパ本体２１ａ，２１ａの先端を連結し、第３ストッパ軸２１ｄは一対のストッパ本体２１ａ，２１ａの折曲部を連結する。またレバーストッパ２１の基端はベース１６の上部に第１ストッパ軸２１ｂを介して枢着され、レバーストッパ２１が第１ストッパ軸２１ｂを中心に鉛直面内で回動するように構成される。これによりレバーストッパ２１の先端がこのレバーストッパの自重により下方に回転して、レバーホルダ１７の先端に係止するように構成される。
【００２０】
更に第１ストッパ軸２１ｂの上方のベース１６には離脱固定具４３が取付けられる。この離脱固定具４３はレバーストッパ２１の先端を上方に回転させたときにレバーストッパをレバーホルダ１７から離脱させた状態で一時的に固定するように構成される。この実施の形態では、ストッパ本体２１ａが鋼板等の強磁性体により形成され、離脱固定具４３がレバーストッパ２１のストッパ本体２１ａを磁力にて吸着するための永久磁石により形成される。
【００２１】
このように構成されたスリング取外し装置１０の動作を説明する。
▲１▼  スリング取外し装置１０を遠隔操作で使用する場合
先ずクレーン係合部２７にアッパスリング２８を介してクレーン２６のフック２６ａを係合するとともに、クレーンのフックにスリング１３，１３の一端を掛け、第２ストッパ軸を把持してレバーストッパ２１を上方に回転させ、レバーストッパを離脱固定具４３に吸着させる（図２）。この状態でベース１６をコンクリートブロック１４の直上に位置させ、スライダ用電磁石３２ａをオンし、更にハンドル１７ｂを下方に操作してレバーホルダ１７の基端を上方に回転させる。これによりスライダ３１が上昇して、スライダ用電磁石３２ａが係合プレート３１ｂを吸着し、スライダ３１が上昇した状態で一時的に固定されるので、レバーホルダ１７の基端にスライダ用弾性体３４の弾性力が作用しなくなり、レバーホルダ１７は略水平方向に延びた状態に保たれる。
【００２２】
次いでスリング１３をコンクリートブロック１４に係合してその他端のリング１３ａをリンクレバー１８に掛け、リンクレバーの先端を上方に回転させるとともに、ハンドル１７ｂを上方に回転させて、リンクレバー１８の先端をレバーホルダ１７の先端に係止させる。この状態でコンクリートブロック１４をクレーン２６により吊上げると（図３）、リンクレバー１８の先端のレバーホルダ１７の先端への係止摩擦力が増大するので、リンクレバーの先端がレバーホルダの先端に係止する状態を維持できる。このときスライダ用電磁石３２ａをオフすると、レバーホルダ１７の基端にスライダ用弾性体３４の弾性力及びスライダ３１の自重が作用するけれども、リンクレバー１８の先端とレバーホルダ１７の先端との係止摩擦力はスライダ用弾性体３４の弾性力及びスライダ３１の自重より遙かに大きいため、リンクレバー１８の先端はレバーホルダ１７の先端から離脱しない。
【００２３】
次にコンクリートブロック１４を所定の場所に下ろすとスリング１３が弛緩し、上記リンクレバー１８の先端に作用していた係止摩擦力がなくなるので、スライダ用弾性体３４の弾性力及びスライダ３１の自重によりレバーホルダ１７の基端が押下げられる。このためレバーホルダ１７の先端が上昇して、リンクレバー１８の先端がレバーホルダ１７から解放されるので、リンクレバー１８の先端が下方に回転する。この状態でクレーン２６によりベース１６を引上げると、スリング１３の他端のリング１３ａがリンクレバー１８から離脱した後に、スリング１３がコンクリートブロック１４から離脱してベース１６とともに引上げられる。
【００２４】
▲２▼  スリング取外し装置１０を一般的なフックと同様の使い方で使用する場合レバーストッパ２１を離脱固定具４３に吸着させた状態にしておき（図２）、スライダ用電磁石３２ａをオフのままにしておく。この状態ではレバーホルダ１７の基端がスライダ用弾性体３４の弾性力及びスライダ３１の自重により押下げられているため、レバーホルダ１７の先端は斜め上方に向き、リンクレバー１８の先端は斜め下方に向いた状態に保たれる。
【００２５】
先ずベース１６をコンクリートブロック１４の直上に位置させ、スリング１３をコンクリートブロック１４に係合してその他端のリング１３ａをリンクレバー１８に嵌入する。そしてリンクレバー１８の先端を上方に回転させた後に、ハンドル１７ｂを下方に回転させて、リンクレバー１８の先端をレバーホルダ１７の先端に係止させる。次いでハンドル１７ｂを一方の手で把持したまま、第２ストッパ軸２１ｃを他方の手で把持し離脱固定具４３の磁力に抗してレバーストッパ２１を下方に回転させ、レバーストッパ２１の先端をレバーホルダ１７の先端上面に係止させる。この状態でコンクリートブロック１４をクレーン２６により吊上げると（図１）、リンクレバー１８の先端のレバーホルダ１７の先端への係止摩擦力が増大するとともに、レバーストッパ２１がレバーホルダ１７を一時的に固定しているため、作業者が意図しない、リンクレバー１８先端のレバーホルダ１７先端からの離脱を確実に防止できる。
【００２６】
コンクリートブロック１４を所定の場所に下ろすと、スリング１３が弛緩し、上記リンクレバー１８の先端に作用していた係止摩擦力がなくなるけれども、レバーストッパ２１がレバーホルダ１７を一時的に固定しているため、リンクレバー１８の先端がレバーホルダ１７の先端から離脱しない。次にハンドル１７ｂを一方の手で把持し、第３ストッパ軸２１ｄ又は第２ストッパ軸２１ｃを他方の手で把持してレバーストッパ２１を上方に回転させ、レバーストッパを離脱固定具４３に吸着させた後に、他方の手を第３ストッパ軸２１ｄ又は第２ストッパ軸２１ｃから離す。このときスライダ用弾性体３４の弾性力及びスライダ３１の自重によりレバーホルダ１７を介してハンドル１７ｂに上昇しようとする力が作用するため、この力に抗してレバーホルダを略水平状態に保ち、フリーになった他方の手でリンクレバー１８を把持した後に上記ハンドル１７ｂを徐々に上方に回転させる。これによりリンクレバー１８の先端がレバーホルダ１７から解放されるので、リンクレバー１８の先端を徐々に下方に回転させると、スリング１３の他端のリング１３ａがリンクレバー１８から外れる。このようにリンクレバー１８にスリング１３の他端のリング１３ａを嵌入するとき、又はリンクレバーからスリングの他端のリングを外すときに、レバーストッパ２１を手で保持し続ける必要がないので、リンクレバー１８へのスリング１３の係脱の作業性を向上できる。
【００２７】
図９及び図１０は本発明の第２の実施の形態を示す。図９及び図１０において図１〜図３と同一符号は同一部品を示す。
この実施の形態では、スリング取外し装置１１０は、一対のプレート１２２を有するベース１１６と、このベースに一対の第１シャフト１１，１１を介してほぼ中央がそれぞれ枢着された一対のレバーホルダ１１７，１１７と、ベースに一対の第２シャフト１２，１２を介して基端がそれぞれ枢着された一対のリンクレバー１１８，１１８と、遠隔操作でリンクレバー１１８の先端をレバーホルダ１１７の先端から自動的に解放する解放手段１９と、一対のリンクレバー１１８，１１８の先端が一対のレバーホルダ１１７，１１７の先端にそれぞれ係止した状態で一対のレバーホルダを一時的に固定するための一対のレバーストッパ２１，２１と、一対のレバーストッパの上方のベース１１６にそれぞれ取付けられた一対の離脱固定具４３，４３とを備える。
【００２８】
第１シャフト１１はベース１１６の上部に固着され、第１シャフト１１にレバーホルダ１１７のほぼ中央が揺動可能に嵌入される。第２シャフト１２はベース１１６の下部に固着され、第２シャフト１２にリンクレバー１１８の基端が回動可能に嵌入される。またベース１１６の下端中央にはスリング１３の一端を掛けるためのスリング掛け部１２８が枢着される。更に重量物１１４はこの実施の形態ではコンクリート柱である。なお、重量物はコンクリート柱ではなく、上面に逆Ｕ字状のスリング係合部を有するコンクリートブロックや石材を詰めた蛇籠でもよい。上記以外は第１の実施の形態と同一に構成される。
【００２９】
このように構成されたスリング取外し装置１１０では、一対のリンクレバー１１８，１１８を有するため、一対の爪を有する一般的な両爪フックと略同様の使い方で使用できる、即ち長尺の重量物や幅広の重量物を水平方向に延びた状態で吊上げるときに安定した状態で吊上げることができる。上記以外の動作は第１の実施の形態のスリング取外し装置と略同様であるので、繰返しの説明を省略する。
【００３０】
図１１は本発明の第３の実施の形態を示す。図１１において図９と同一符号は同一部品を示す。
この実施の形態では、解放手段２１９が、ベース１１６に昇降可能に設けられレバーホルダ１１７の基端に係合してレバーホルダの基端を押下げる方向に付勢するスライダ２３１と、ベース１１６に設けられスライダ２３１に係合してスライダを上昇した状態で一時的に固定するロック手段２３２と、遠隔操作でスライダ２３１の一時的な固定を自動的に解除するロック解除手段２３３とを備える。スライダ２３１は、固定プレート２４の貫通孔２４ａに遊挿する昇降棒２３１ａと、昇降棒の上部にこの昇降棒と一体的に設けられ水平方向に延びる係合プレート２３１ｂと、昇降棒の下端に取付けられた錘２３１ｃとを有する。係合プレート２３１ｂは一対のレバーホルダ１１７，１１７の基端に係合するように構成される。
【００３１】
またロック手段２３２は、スライダ２３１に上下動可能に嵌入される係合長孔２３４ａを有しかつ嵌入状態で鉛直面内で回動可能にかつ長手方向に摺動可能にベース１１６に設けられた自在バー２３４を備える。この自在バー２３４の一端は後述するアーム２３６の基端近傍に載るか或いはアームから僅かに浮いた状態に保たれ、自在バー２３４の他端は固定プレート２４より上方のベース２１６に固着された一対のバー用ピン２３４ｂ、２３４ｂの間に遊挿される。これにより自在バー２３４が所定の傾斜角になるとスライダ２３１が係合長孔２３４ａの縁に係止されるように構成される。ロック解除手段２３３は、自在バー２３４からスライダ２３１を解放する方向に自在バー２３４を移動させるアーム２３６を備える。
【００３２】
またロック手段２３２は、上記自在バー２３４に加えて、スライダ２３１を上昇させた状態で磁力により吸着して保持する第１磁石２４１と、自在バー２３４をスライダ２３１に係止した状態でアーム２３６を磁力により吸着して保持する第２磁石１４２とを更に備える。ロック解除手段２３３は、上記アーム２３６に加えて、第１磁石２４１の磁力を発生又は消去する第１切換手段（図示せず）と、自在バー２３４からスライダ２３１を解放する方向にアーム２３６を付勢するアーム用ばね２６１と、第２磁石２４２の磁力を発生又は消去する第２切換手段（図示せず）と、第１切換手段を遠隔操作することにより第１磁石２４１を制御するとともに第２切換手段を遠隔操作することにより第２磁石２４２を制御する遠隔操作手段（図示せず）とを更に備える。図１１の符号２６２はスライダ２３１の錘２３１ｃとアーム２３６とを連結する可撓性を有する線状体である。この線状体２６２の長さは、スライダ２３１が下降してほぼ最下端に達したときに、アーム２３６が第２磁石２４２の上面に接触するように設定される。上記以外は第１の実施の形態と同一に構成される。
【００３３】
このように構成されたスリング取外し装置の動作を説明する。
▲１▼  スリング取外し装置２１０を遠隔操作で使用する場合
先ずクレーン係合部２７にクレーン２６のフック２６ａを係合し、スリング掛け部１２８にスリング１３の一端を掛ける。また第３ストッパ軸２１ｄ又は第２ストッパ軸２１ｃを把持してレバーストッパ２１を上方に回転させ、レバーストッパ２１を離脱固定具４３に吸着させておき、更に第１及び第２磁石２４１，２４２をオンしておく。この状態でベース１１６をコンクリート柱１１４の直上に位置させて、スライダ２３１を上昇させると、自在バー２３４の係合長孔２３４ａへの係止及び第１磁石２４１の磁力による錘２３２ｃの吸着によりスライダ２３１が上昇した状態で一時的に固定される。このためレバーホルダ１１７の基端にスライダ２３１の自重が加わらず、レバーホルダ１１７はその先端にリンクレバー１１８の先端が係止可能な位置に回転する。次いでスリング１３をコンクリート柱１１４に係合してその他端のリング１３ａをリンクレバー１１８に掛け、リンクレバーの先端をレバーホルダ１１７の先端に係止する。この状態でコンクリート柱１１４をクレーン２６により吊上げると、リンクレバー１１８の先端がレバーホルダ１１７の先端に係止した状態に維持できる。
【００３４】
このとき第１磁石２４１をオフして第１磁石による錘２３２ｃの吸着を解除するとともに、第２磁石２４２をオフしてアーム２３６のアーム用ばね２６１の弾性力によるアームの回転を許容して自在バー２３４の係合長孔２３４ｃへの係止を解除することにより、スライダ２３１が下降可能になり、レバーホルダ１１７の基端にスライダ２３１の自重が作用する。しかしリンクレバー１１８の先端とレバーホルダ１１７の先端との摩擦力はスライダ２３１の自重より遙かに大きいため、レバーホルダ１１７の基端にスライダ２３１の自重が作用しても、リンクレバー１１８先端はレバーホルダ１１７先端から離脱しない。次にコンクリート柱１１４を所定の場所に下ろすとスリング１３が弛緩し、上記リンクレバー１１８の先端に作用していた力がなくなるので、スライダ２３１の自重によりレバーホルダ１１７の基端が押下げられる。このためレバーホルダ１１７の先端が上昇して、リンクレバー１１８の先端がレバーホルダ１１７から解放されるので、リンクレバー１１８の先端が下方に回転する。この状態でクレーン２６によりベース１１６を引上げると、スリング１３の他端のリング１３ａがリンクレバー１１８から離脱した後に、スリング１３がコンクリート柱１１４から離脱してベース１１６とともに引上げられる。
【００３５】
▲２▼  スリング取外し装置２１０を一般的なフックと同様の使い方で使用する場合
この場合の動作は上記第２の実施の形態の動作とほぼ同様であるので、繰返しの説明を省略する。
【００３６】
【発明の効果】
以上述べたように、本発明によれば、レバーホルダをベースに第１シャフトを介して枢着し、リンクレバーの基端をベースに第２シャフトを介して枢着し、リンクレバーの先端がレバーホルダの先端に係止し、遠隔操作で解放手段によりレバーホルダの基端を下降させてレバーホルダをリンクレバーから自動的に解放し、更にリンクレバー先端がレバーホルダ先端に係止した状態でレバーストッパがレバーホルダを一時的に固定するように構成したので、リンクレバー先端をレバーホルダ先端に係止しかつレバーストッパによりレバーホルダを一時的に固定した状態で重量物を吊上げると、リンクレバーに重量物の荷重が加わって、リンクレバー先端のレバーホルダ先端への係止摩擦力が増大するとともに、レバーストッパがレバーホルダを一時的に固定した状態に保たれる。この結果、作業者が意図しない、リンクレバー先端のレバーホルダ先端からの離脱を確実に防止できる。また上記重量物を所定の場所に下ろして、レバーストッパのレバーホルダへの一時的な固定を手動で解除した後に、レバーホルダの先端を手で引上げると、リンクレバーの先端をレバーホルダの先端から解放できる。この結果、遠隔操作によりスリングを重量物から外す必要がないときに、何ら煩わしい作業を行うことなく、スリングの外れ止め具を有する一般的なフックと同様の使い方で使用できる。
【００３７】
またレバーストッパが鉛直面内で回動するようにレバーストッパの基端をベースに枢着し、レバーストッパの先端がレバーストッパの自重により下方に回転してレバーホルダに係止するように構成すれば、リンクレバーの先端をレバーホルダの先端に係止するとともにレバーストッパをレバーホルダに係止した状態で重量物を吊上げたときに、作業者が意図せずにレバーストッパ先端がレバーホルダ先端から離脱することはない。この結果、作業者が意図しない、リンクレバー先端のレバーホルダ先端からの離脱を更に確実に防止できる。
更に離脱固定具がレバーストッパをレバーホルダから離脱させた状態で一時的に固定するように構成すれば、リンクレバーにスリングの他端を係合するとき又はリンクレバーからスリングの他端を離脱させるときに、レバーストッパを手で保持し続ける必要がないので、その作業性を向上できる。
【図面の簡単な説明】
【図１】本発明第１実施形態の取外し装置のレバーストッパをレバーホルダに係止した状態でコンクリートブロックを吊上げている状態を示す取外し装置の縦断面図。
【図２】その取外し装置のレバーストッパがレバーホルダから離脱しかつリンクレバーの先端がレバーホルダの先端から離脱した状態を示す図１に対応する断面図。
【図３】その取外し装置のレバーストッパをレバーホルダから離脱させた状態で重量物を吊上げている状態を示す図１に対応する縦断面図。
【図４】図２のＡ−Ａ線断面図。
【図５】図１のＢ−Ｂ線断面図。
【図６】図１のＣ−Ｃ線断面図。
【図７】その取外し装置により重量物を吊上げている状態を示す取外し装置及び重量物の側面図。
【図８】電磁石を遠隔操作する遠隔操作手段の構成図。
【図９】本発明の第２実施形態を示す図１に対応する断面図。
【図１０】その取外し装置のレバーストッパがレバーホルダから離脱しかつリンクレバーの先端がレバーホルダの先端から離脱した状態を示す図９に対応する断面図。
【図１１】本発明の第３実施形態を示す図９に対応する断面図。
【符号の説明】
１０，１１０，２１０  スリング取外し装置
１１  第１シャフト
１２  第２シャフト
１３  スリング
１４  コンクリートブロック（重量物）
１６，１１６  ベース
１７，１１７  レバーホルダ
１８，１１８  リンクレバー
１９，２１９  解放手段
２１  レバーストッパ
２６  クレーン
２６ａ  クレーンのフック
２７  クレーン係合部
４３  離脱固定具
１１４  コンクリート柱（重量物）
【図１】
2004210518.tif 000003
【図２】
2004210518.tif 000004
【図３】
2004210518.tif 000005
【図４】
2004210518.tif 000006
【図５】
2004210518.tif 000007
【図６】
2004210518.tif 000008
【図７】
2004210518.tif 000009
【図８】
2004210518.tif 000010
【図９】
2004210518.tif 000011
【図１０】
2004210518.tif 000012
【図１１】
2004210518.tif 000013